(57)【要約】      （修正有）【課題】簡易な構成で、発声者から発せられた音声を確実に消音することができると共に、膨らんだ風船から発せられる音や振動を確実に抑制することができる発声消音装置を提供する。【解決手段】発声消音装置１は、消音器１０と風船保持器１００とを有し、風船２００が取り付けられた消音器１０と風船保持器１００とを連結することにより使用され、消音器１０は、円柱状に形成された消音器本体１０Ａと、当該消音器本体１０Ａから突出するように形成され、風船２００を取り付けるための継手１０Ｂとから構成される。【選択図】図３
0003196926.tif 000002
【実用新案登録請求の範囲】
【請求項１】
円柱状のフィルタと、
前記フィルタの外径と同一の内径を有し、かつ長手方向における内側面の長さが前記フィルタと同一の長さを有する収納部本体と、前記収納部本体から突出するように形成され、前記収納部本体より短い内径を有する突出部と、前記突出部の外側面の先端付近に設けられたねじ部と、前記ねじ部から突出するように形成され、前記ねじ部のねじ谷径より短い外径を有する軸部と、前記軸部の先端に、前記軸部の外径より長く、かつ前記ねじ部のねじ谷径より短い外径を有しながら、外側に向けて張り出すように形成され、風船を取り付けるための張出部とを有するフィルタ収納部と、
前記フィルタ収納部のうち、前記収納部本体の表面に、前記収納部本体を覆うようにして形成された本体制振部と、
前記本体制振部の表面に、前記本体制振部の全面を覆うようにして形成された本体保持部と、
前記フィルタ収納部のうち、前記突出部の内側面に、長手方向における長さが前記突出部の内側面の長さと同一の長さを有するように形成された円筒状の継手制振部と、
前記継手制振部の内側面に、長手方向における前記継手制振部の長さと同一の長さを有するように形成された円筒状の継手固定部と
を有する消音器と、
伸縮する前記風船を収納するための風船収納部と、
前記消音器の前記ねじ部と螺合するようにして、前記風船収納部に一体的に形成され、両端が開口した円筒状のねじ孔と、
前記風船収納部に一体的に形成され、前記風船を膨らませる際に生じる内部気圧を外部に逃がすための通気孔と、
前記風船収納部の内側面の全面を覆うようにして形成され、その表面に一様に形成された複数の突起部を有する風船抑制部と、
前記風船収納部の表面に、前記風船収納部の全面を覆うようにして形成された収納制振部と、
前記収納制振部の表面に、前記収納制振部の全面を覆うように重畳して形成された収納保持部と
を有する風船保持器と
を備えることを特徴とする発声消音装置。
【考案の詳細な説明】
【技術分野】
【０００１】
本考案は、発声消音装置に関する。
【背景技術】
【０００２】
従来、発声者から発せられた音声を消音するための発声消音装置として、種々のものが提案及び開発されている。
【考案の概要】
【考案が解決しようとする課題】
【０００３】
本考案は、簡易な構成で、発声者から発せられた音声を確実に消音することができると共に、膨らんだ風船から発せられる音や振動を確実に抑制することができる発声消音装置を提供することを目的とする。
【課題を解決するための手段】
【０００４】
本考案の一態様による発声消音装置は、
円柱状のフィルタと、
前記フィルタの外径と同一の内径を有し、かつ長手方向における内側面の長さが前記フィルタと同一の長さを有する収納部本体と、前記収納部本体から突出するように形成され、前記収納部本体より短い内径を有する突出部と、前記突出部の外側面の先端付近に設けられたねじ部と、前記ねじ部から突出するように形成され、前記ねじ部のねじ谷径より短い外径を有する軸部と、前記軸部の先端に、前記軸部の外径より長く、かつ前記ねじ部のねじ谷径より短い外径を有しながら、外側に向けて張り出すように形成され、風船を取り付けるための張出部とを有するフィルタ収納部と、
前記フィルタ収納部のうち、前記収納部本体の表面に、前記収納部本体を覆うようにして形成された本体制振部と、
前記本体制振部の表面に、前記本体制振部の全面を覆うようにして形成された本体保持部と、
前記フィルタ収納部のうち、前記突出部の内側面に、長手方向における長さが前記突出部の内側面の長さと同一の長さを有するように形成された円筒状の継手制振部と、
前記継手制振部の内側面に、長手方向における前記継手制振部の長さと同一の長さを有するように形成された円筒状の継手固定部と
を有する消音器と、
伸縮する前記風船を収納するための風船収納部と、
前記消音器の前記ねじ部と螺合するようにして、前記風船収納部に一体的に形成され、両端が開口した円筒状のねじ孔と、
前記風船収納部に一体的に形成され、前記風船を膨らませる際に生じる内部気圧を外部に逃がすための通気孔と、
前記風船収納部の内側面の全面を覆うようにして形成され、その表面に一様に形成された複数の突起部を有する風船抑制部と、
前記風船収納部の表面に、前記風船収納部の全面を覆うようにして形成された収納制振部と、
前記収納制振部の表面に、前記収納制振部の全面を覆うように重畳して形成された収納保持部と
を有する風船保持器と
を備える。
【考案の効果】
【０００５】
本考案の発声消音装置によれば、簡易な構成で、発声者から発せられた音声を確実に消音することができると共に、膨らんだ風船から発せられる音や振動を確実に抑制することができる。
【図面の簡単な説明】
【０００６】
【図１】本考案の実施の形態による発声消音装置の構成を示す斜視図である。
【図２】本考案の実施の形態による発声消音装置の構成を示す縦断面図である。
【図３】本考案の実施の形態による発声消音装置の使用状態を示す縦断面図である。
【考案を実施するための形態】
【０００７】
図１及び図２に、本考案の実施の形態による発声消音装置１の構成を示し、図３に、当該発声消音装置１を使用する場合の使用状態図を示す。
【０００８】
このうち、図１は、発声消音装置１の斜視図を示し、図２は、図１中のＡ−Ａ’線に沿って切断した場合の縦断面図を示す。
【０００９】
本実施の形態の発声消音装置１は、消音器１０と風船保持器１００とを有し、風船２００が取り付けられた消音器１０と風船保持器１００とを連結することにより使用される。
【００１０】
消音器１０は、円柱状に形成された消音器本体１０Ａと、当該消音器本体１０Ａから突出するように形成され、風船２００を取り付けるための継手１０Ｂとから構成される。
【００１１】
具体的には、消音器１０は、その内部に、円柱状に形成されたフィルタ２０を有する。このフィルタ２０は、例えばスポンジなどの多孔性材料からなり、発声者から発せられた音声を消音する。
【００１２】
また、消音器１０は、フィルタ２０を収納し固定するためのフィルタ収納部３０を有する。このフィルタ収納部３０は、断面が凸型形状になるように形成され、フィルタ２０の外径と同一の内径を有し、かつ長手方向における内側面の長さがフィルタ２０と同一の長さを有する収納部本体３０Ａと、収納部本体３０Ａから突出するように形成され、収納部本体３０Ａより短い内径を有する突出部３０Ｂとを有する。フィルタ２０は、フィルタ収納部３０のうち、収納部本体３０Ａに収納される。
【００１３】
突出部３０Ｂの外側面の先端付近には、ねじ山がらせん状に形成されたねじ部３０Ｃが設けられている。また、突出部３０Ｂの先端部分には、軸部３０Ｄがねじ部３０Ｃから突出するように形成され、当該軸部３０Ｄの外径は、ねじ部３０Ｃのねじ溝の径を表すねじ谷径より短くなるように形成されている。
【００１４】
さらに、突出部３０Ｂの軸部３０Ｄの先端には、当該軸部３０Ｄの外径より長く、かつねじ部３０Ｃのねじ谷径より短い外径を有する張出部３０Ｄが、外側に向けて張り出すように形成され、風船２００を取り付けた際に当該風船２００を固定する。
【００１５】
ところで、フィルタ収納部３０は、消音器１０を使用する場合に、発声者側に位置する発声者側開口部４０と、風船側に位置する風船側開口部５０とを有する。これにより、フィルタ２０のうち、発声者側端部のほぼ全面が露出すると共に、風船側端部の少なくとも中央部分が露出するようになされている。
【００１６】
なお、フィルタ収納部３０は、例えばプラスチックなどの合成樹脂材料、金属材料、ガラス材料、木材などの硬質素材から形成されている。
【００１７】
フィルタ収納部３０のうち、収納部本体３０Ａの表面には、当該収納部本体３０Ａを覆うようにして、本体制振部６０が形成されている。この本体制振部６０は、例えば、ウレタンなどからなり、フィルタ２０及びフィルタ収納部３０の振動を抑制する。
【００１８】
さらに、本体制振部６０の表面には、当該本体制振部６０の全面を覆うようにして、本体保持部７０が形成されている。この本体保持部７０は、例えばゴムなどの弾性部材からなり、発声者が消音器１０に触れ易い素材が選択されている。
【００１９】
一方、フィルタ収納部３０のうち、突出部３０Ｂの内側面には、円筒状の継手制振部８０が形成され、この継手制振部８０は、長手方向における長さが突出部３０Ｂの内側面の長さと同一の長さを有するように形成されている。なお、継手制振部８０は、例えば、ウレタンなどからなり、フィルタ２０及びフィルタ収納部３０の振動を抑制する
【００２０】
さらに、継手制振部８０の内側面には、円筒状の継手固定部９０が形成され、この継手固定部９０は、長手方向における継手制振部８０の長さと同一の長さを有するように形成されている。なお、継手固定部９０は、例えばプラスチックなどの合成樹脂材料、金属材料、ガラス材料、木材などの硬質素材から形成されている。
【００２１】
これに対して、風船保持器１００は、長球状に形成され、伸縮する風船２００を収納するための風船収納部１１０を有し、当該風船収納部１１０の長径方向における端部には、両端が開口した円筒状のねじ孔１２０が一体的に形成されている。
【００２２】
ねじ孔１２０の内側面には、ねじ溝がらせん状に形成され、これにより、消音器１０のねじ部３０Ｃと、風船保持器１００のねじ孔１２０とを螺合することができる。
【００２３】
また、風船収納部１１０の短径方向における端部には、風船２００を膨らませる際に生じる内部気圧を外部に逃がすための通気孔１２５が一体的に形成されている。
【００２４】
なお、風船収納部１１０及びねじ孔１２０は、例えばプラスチックなどの合成樹脂材料、金属材料、ガラス材料、木材などの硬質素材から形成されている。
【００２５】
風船収納部１１０の内側面には、膨らんだ風船２００から発せられる音や振動を抑制するための風船抑制部１３０が、当該風船収納部１１０の内側面の全面を覆うようにして形成され、当該風船抑制部１３０の表面には、複数の突起部１４０が全面にわたって一様に形成されている。なお、風船抑制部１３０は、例えばスポンジなどの多孔性材料から形成されている。
【００２６】
風船収納部１１０の表面には、当該風船収納部１１０を覆うようにして、収納制振部１５０が形成されている。この収納制振部１５０は、例えば、ウレタンなどからなり、風船抑制部１３０及び風船収納部１１０の振動を抑制する。
【００２７】
さらに、収納制振部１５０の表面には、当該収納制振部１５０を覆うようにして、収納保持部１６０が重畳して形成されている。この収納保持部１６０は、例えばゴムなどの弾性部材からなり、発声者が風船保持器１００に触れ易い素材が選択されている。
【００２８】
発声者がこの発声消音装置１を使用する際には、消音器１０の継手１０Ｂに形成された張出部３０Ｄに風船２００を取り付けた上で、消音器１０の継手１０Ｂに形成されたねじ部３０Ｃと、風船保持器１００のねじ孔１２０とを螺合した後、発声者の口を消音器１０の発声者側開口部４０に押し当てた状態で、発声者が発声を行う。
【００２９】
このように本実施の形態によれば、簡易な構成で、発声者から発せられた音声を確実に消音することができると共に、膨らんだ風船２００から発せられる音や振動を確実に抑制することができる。
【００３０】
なお、上述の実施の形態は一例であって、本発明を限定するものではない。
【符号の説明】
【００３１】
１  発声消音装置
１０  消音器
１０Ａ  消音器本体
１０Ｂ  継手
２０  フィルタ
３０  フィルタ収納部
３０Ａ  収納部本体
３０Ｂ  突出部
３０Ｃ  ねじ部
３０Ｄ  軸部
３０Ｅ  張出部
４０  発声者側開口部
５０  風船側開口部
６０  本体制振部
７０  本体保持部
８０  継手制振部
９０  継手固定部
１００  風船保持器
１１０  風船収納部
１２０  ねじ孔
１２５  通気孔
１３０  風船抑制部
１４０  突起部
１５０  収納制振部
１６０  収納保持部
２００  風船
【図１】
0003196926.tif 000003
【図２】
0003196926.tif 000004
【図３】
0003196926.tif 000005